(57)【要約】【課題】景品の移動を阻止する確率の調整範囲を拡大する。【解決手段】景品係止ガイド部材３０１は、一端及び他端の端面３１１、３１２と３面の外周面３２１、３２２、３２３により断面が三角形状の棒状に形成され、前記三角形状の３辺の長さが全て異なるように形成されている。景品係止ガイド部材３０１は、外周面３２２、３２３のいずれかが選択され、選択された外周面が前記主天板に密着して固定されので、景品の移動を阻止する確率の調整範囲を拡大することができる。【選択図】  図１０
2008067803.tif 000002
【特許請求の範囲】
【請求項１】
景品を取得して移動させる景品取得ゲーム装置のケーシング内の下側に配置する下側配置面に取付けられ、前記景品を係止する景品係止ガイド部材であって、
両端面と３面の外周面により断面が三角形状の棒状に形成され、前記三角形状の少なくとも２辺の長さが異なり、前記３面の外周面の内少なくとも２面のいずれかが選択され、選択された外周面が前記下側配置面に対向した状態で当該下側配置面に固定されることを特徴とする景品係止ガイド部材。
【請求項２】
景品を取得して移動させる景品取得ゲーム装置のケーシング内の下側に配置する下側配置面に取付けられ、前記景品を係止する景品係止ガイド部材であって、
両端面と３面の外周面により断面が三角形状の棒状に形成され、前記三角形状の少なくとも２辺の長さが異なり、前記３面の外周面の内少なくとも２面のいずれかが選択され、選択された外周面が前記下側配置面に対向した状態で当該下側配置面に直接固定される直接固定側棒状部材と、
前記直接固定棒状部材と同様の三角形状の棒状に形成され、３面の外周面の内少なくとも２面のいずれかが選択され、選択された外周面が直接固定側棒状部材の前記選択された面以外の外周面に対向した状態で前記直接固定側棒状部材に固定される間接固定側棒状部材と、
を備えることを特徴とする景品係止ガイド部材。
【請求項３】
景品を取得して移動させる景品取得ゲーム装置のケーシング内の下側に配置する下側配置面に取付けられ、前記景品を係止する景品係止ガイド部材であって、
両端面と４面の外周面により断面が四角形状の棒状に形成され、前記４面の外周面の内１面が前記下側配置面に対向した状態で当該下側配置面に直接固定される直接固定側棒状部材と、
両端面と３面の外周面により断面が三角形状の棒状に形成され、前記三角形状の少なくとも２辺の長さが異なり、前記３面の外周面の内少なくとも２面のいずれかが選択され、選択された外周面が前記直接固定側棒状部材の前記選択された面以外の外周面に対向した状態で前記直接固定側棒状部材に固定される間接固定側棒状部材と、
を備えることを特徴とする景品係止ガイド部材。
【請求項４】
下側配置面は、前記ケーシング内の床面であることを特徴とする請求項１乃至３のいずれか一つに記載の景品係止ガイド部材。
【請求項５】
下側配置面は、前記ケーシング内の床面に支持部を介して載置された天板の上面であることを特徴とする請求項１乃至３のいずれか一つに記載の景品係止ガイド部材。
【請求項６】
遊戯者が操作手段を操作することにより景品取得手段を動作させてケーシング内の所望の景品を取得して景品取得口に移動させる景品取得ゲーム装置の該ケーシング内の下側に配置する下側配置面に取り付けられ、前記景品を係止する景品係止ガイド部材であって、
両端面と少なくとも３面以上の外周面により断面が多面形状の棒状に形成され、前記多面形状の各辺の長さがそれぞれ異なり、前記多面の外周面のうち一面が選択され、該選択された外周面が前記下側配置面に対向した状態で、当該下側配置面に固定されることを特徴とする景品係止ガイド部材。
【発明の詳細な説明】
【技術分野】
【０００１】
本発明は、景品取得ゲーム装置のケーシング内の下側に配置する下側配置面に取付けられ景品を係止する景品係止ガイド部材に関する。
【背景技術】
【０００２】
従来、アミューズメント施設等の遊戯施設に設置される業務用のアーケードゲーム装置として、景品を取得するための取得手段を備えた景品取得ゲーム装置がクレーンゲーム機という名前で実用化されている。
【０００３】
従来の景品取得ゲーム装置は、筐体の下部に設けられた基台と、前記筐体の前記基台より上側に設けられマスコット人形、アクセサリー、玩具等の景品を収納する収容部であるところのケーシングと、ケーシング内の景品を把持部で挟持して移動させる取得手段とを備えている。遊戯者は、景品取得ゲーム装置で遊戯を行う際に、操作部を操作して景品の置かれた位置に把持部を移動させ、目的の景品を把持部で挟持した状態で吊り下げ、その景品を投入口に落下させて外部に取り出せる状態にしている。
【０００４】
景品取得ゲーム装置のケーシング内には、景品の効果的なディスプレイを行うために、例えば特許文献１に示されているように、景品を展示する天板の高さ調整が可能な景品台をケーシング内に設ける方法が普及している。また、例えば特許文献２には、景品を展示する台板の高さを電動により調整が可能な景品載置台をケーシング内に設ける技術が提案されている。さらに近年では、ゲーム性を高めるとともに、プレイヤーが景品を取得する確率を高める等の目的から、前記取得手段から落下した前記景品を前記天板の上面に形成した傾斜面で転落または滑落させることで景品投入口に導く景品台が実用化されている。
【０００５】
【特許文献１】特開２００５−８０７９８号公報
【特許文献２】特開２００６−６８２１９号公報
【発明の開示】
【発明が解決しようとする課題】
【０００６】
ところで、上述した従来の景品取得ゲーム装置では、景品取得確率を調整するために、景品投入口の周りに、景品の移動を係止により防止する板状や筒状等の各種形状の景品係止ガイド部材を設ける場合がある。しかしながら、従来の景品係止ガイド部材では、高さや傾きが一定になるため景品の移動を防止できる確率の調整範囲が狭く、景品取得の難易度の調整が難しかった。
【０００７】
本発明は、こうした従来の問題に鑑みてなされたものであり、景品の移動を阻止する確率の調整範囲を拡大することができる景品係止ガイド部材を提供することを目的としている。
【課題を解決するための手段】
【０００８】
上述した課題を解決するため、請求項１に記載の発明は、景品を取得して移動させる景品取得ゲーム装置のケーシング内の下側に配置する下側配置面に取付けられ、前記景品を係止する景品係止ガイド部材であって、両端面と３面の外周面により断面が三角形状の棒状に形成され、前記三角形状の少なくとも２辺の長さが異なり、前記３面の外周面の内少なくとも２面のいずれかが選択され、選択された外周面が前記下側配置面に対向した状態で当該下側配置面に固定されることを特徴とする。
【０００９】
請求項２に記載の発明は、景品を取得して移動させる景品取得ゲーム装置のケーシング内の下側に配置する下側配置面に取付けられ、前記景品を係止する景品係止ガイド部材であって、両端面と３面の外周面により断面が三角形状の棒状に形成され、前記三角形状の少なくとも２辺の長さが異なり、前記３面の外周面の内少なくとも２面のいずれかが選択され、選択された外周面が前記下側配置面に対向した状態で当該下側配置面に直接固定される直接固定側棒状部材と、前記直接固定棒状部材と同様の三角形状の棒状に形成され、３面の外周面の内少なくとも２面のいずれかが選択され、選択された外周面が直接固定側棒状部材の前記選択された面以外の外周面に対向した状態で前記直接固定側棒状部材に固定される間接固定側棒状部材とを備えることを特徴とする。
【００１０】
請求項３に記載の発明は、景品を取得して移動させる景品取得ゲーム装置のケーシング内の下側に配置する下側配置面に取付けられ、前記景品を係止する景品係止ガイド部材であって、両端面と４面の外周面により断面が四角形状の棒状に形成され、前記４面の外周面の内１面が前記下側配置面に対向した状態で当該下側配置面に直接固定される直接固定側棒状部材と、両端面と３面の外周面により断面が三角形状の棒状に形成され、前記三角形状の少なくとも２辺の長さが異なり、前記３面の外周面の内少なくとも２面のいずれかが選択され、選択された外周面が前記直接固定側棒状部材の前記選択された面以外の外周面に対向した状態で前記直接固定側棒状部材に固定される間接固定側棒状部材とを備えることを特徴とする。
【００１１】
請求項４に記載の発明は、請求項１乃至３のいずれか一つに記載の景品係止ガイド部材であって、下側配置面は、前記ケーシング内の床面であることを特徴とする。
【００１２】
請求項５に記載の発明は、請求項１乃至３のいずれか一つに記載の景品係止ガイド部材であって、下側配置面は、前記ケーシング内の床面に支持部を介して載置された天板の上面であることを特徴とする。
【００１３】
請求項６に記載の発明は、遊戯者が操作手段を操作することにより景品取得手段を動作させてケーシング内の所望の景品を取得して景品取得口に移動させる景品取得ゲーム装置の該ケーシング内の下側に配置する下側配置面に取り付けられ、前記景品を係止する景品係止ガイド部材であって、両端面と少なくとも３面以上の外周面により断面が多面形状の棒状に形成され、前記多面形状の各辺の長さがそれぞれ異なり、前記多面の外周面のうち一面が選択され、該選択された外周面が前記下側配置面に対向した状態で、当該下側配置面に固定されることを特徴とする。
【００１４】
請求項１に記載の構成によれば、景品係止ガイド部材は、３面の外周面により断面が３辺の長さが異なる三角形状の棒状に形成され、外周面の向きを変えて下側配置面に固定することができるので、景品の移動を阻止する確率の調整範囲を拡大することができる。
【００１５】
請求項２に記載の景品係止ガイド部材によれば、直接固定側棒状部材及び間接固定側棒状部材は、３面の外周面により断面が３辺の長さが異なる三角形状の棒状に形成され、外周面の向きを変えて下側配置面に直接または間接的に固定することができるので、景品の移動を阻止する確率の調整範囲をさらに拡大することができる。
【００１６】
請求項３に記載の景品係止ガイド部材によれば、間接固定側棒状部材は、３面の外周面により断面が３辺の長さが異なる三角形状の棒状に形成され、外周面の向きを変えて断面が四角形状の直接固定側棒状部材を介して下側配置面に固定することができるので、景品の移動を阻止する確率の調整範囲をさらに拡大することができる。
【００１７】
請求項４に記載の景品係止ガイド部材によれば、前記ケーシング内の床面で景品の移動を阻止する確率の調整範囲をさらに拡大することができる。
【００１８】
請求項５に記載の景品係止ガイド部材によれば、前記ケーシング内の床面に支持部を介して載置された天板の上面で景品の移動を阻止する確率の調整範囲をさらに拡大することができる。
【００１９】
請求項６に記載の景品係止ガイド部材によれば、３面以上の外周面により断面が多面形状の棒状に形成され、前記多面形状の各辺の長さがそれぞれ異なり、外周面の向きを変えて下側配置面に固定することができるので、景品の移動を阻止する確率の調整範囲を拡大することができる。
【発明の効果】
【００２０】
本発明の景品係止ガイド部材によれば、景品の移動を阻止する確率の調整範囲を拡大することができ、景品取得の難易度が容易に調整可能になる。
【発明を実施するための最良の形態】
【００２１】
以下、本発明に係る景品係止ガイド部材の好適な第１の実施形態を図１乃至図１６の図面を参照して説明する。尚、図１は、景品台１００を収納した景品取得ゲーム装置１の正面図、図２は、景品台１００の支持部１０２を伸ばした状態の斜視図、図３は、景品台１００の支持部１０２を最も縮めた状態の斜視図、図４は、景品台１００の平面図、図５は、景品台１００の正面図、図６は、景品台１００の側面図、図７は、主天板１０５を取り外した景品台１００の斜視図、図８は、主天板１０５を取り外し回動枠体２０２を傾斜させた景品台１００の斜視図、図９は、景品台１００及びその周辺部を示す斜視図、図１０は、景品係止ガイド部材３０１を第１の外周面３２１側から見た斜視図、図１１は、景品係止ガイド部材３０１を第２の外周面３２２側から見た斜視図、図１２は、景品係止ガイド部材３０１を第３の外周面３２３側から見た斜視図、図１３は、景品係止ガイド部材３０１を第１の取付け角度で主天板１０５に取付けた状態を示す断面図である。図１４は、景品係止ガイド部材３０１を第２の取付け角度で主天板１０５に取付けた状態を示す断面図である。図１５は、景品係止ガイド部材３０１を第３の取付け角度で主天板１０５に取付けた状態を示す断面図である。図１６は、景品係止ガイド部材３０１を第４の取付け角度で主天板１０５に取付けた状態を示す断面図である。
【００２２】
図１において、景品取得ゲーム装置１は、直方体の基台２の上に箱型の収容部としてのケーシング３を設けた構造になっている。このケーシング３の前面３１及び側面３２、３３は、ケーシング３に収容された景品４を目視することができるように透明な樹脂またはガラスの板状部材によって構成されている。このようなケーシング３の前面３１には、店舗の店員が、景品をケーシング３に収容するための引き戸式の透明な扉３５が設けられており、キャラクタ等のぬいぐるみや、雑貨などの景品４を収容することができる。また、開閉扉３５には、当該開閉扉３５に対して施錠を行う施錠手段３５ａが設けられている。
【００２３】
ケーシング３の左前側の底部には、景品４を受けるための景品落し口３６（図９参照）が垂直方向に設けられている。
【００２４】
さらに、ケーシング３の内部上面には、景品取得部５が吊り下げられている。この景品取得部５は、内部上面から鉛直方向に吊り下げられた支持部５１と、その下端に設けられた把持部５２とから構成されている。より詳細に説明すると、ケーシング３の内部上面には、景品取得部５が走行するための左右移動用固定レール３７と、前後移動用可動レール３８とが設けられている。支持部５１は、景品取得部用基台３９を介して前後移動用可動レール３８に配置されている。左右移動用固定レール３７、前後移動用可動レール３８及び景品取得部用基台３９は、景品取得部５をＸ、Ｙ、Ｚ方向に移動させる移動部１０になっている。
【００２５】
即ち、支持部５１は、前後移動用可動レール３８上であって、かつ前後移動用可動レール３８が左右移動用固定レール３７に従って移動する範囲内を走行可能に構成されており、かつ上下方向にも伸縮可能に構成されている。景品取得部５は、左右移動用固定レール３７上を走行することによってケーシング３内部を左右方向（Ｘ方向）に移動し、前後移動用可動レール３８上を走行することによって前後方向（Ｙ方向）に移動することができる。把持部５２は、景品４を把持するために蟹足状の２本のアーム５３が開閉可能に設けられている。この２本のアーム５３は、通常は閉じた状態となっているが、景品を掴む時に遊戯者の操作に従って開くように構成されている。
【００２６】
このような構造により、景品取得部５及び移動部１０は、景品を取得する取得手段となっている。景品取得ゲーム装置１は、景品を取得手段で把持して移動させる。
【００２７】
一方、基台２には、遊戯者がプレイするための操作卓２１（図４参照）が設けられている。この操作卓２１には、レバー２２と釦スイッチ２３が設けられている。レバー２２は、景品取得部５を所望の景品４に対応する水平方向（ＸＹ方向）の位置に移動及び停止させるための移動操作手段になっている。釦スイッチ２３は、景品取得部５を降下させ、アーム５３を動作させて景品４を把持させるための把持操作手段になっている。尚、本実施形態では、景品取得部５を移動させる移動操作手段としてレバー２２を用いているが、移動操作手段としては釦スイッチでもよく、釦スイッチを移動操作手段と把持操作手段に兼用してもよい。
【００２８】
また、操作卓２１の正面下方には、プレイの際に遊戯者がコインを投入するコイン投入口２４が設けられている。さらに、基台２の正面には、景品の取出口２５が設けられている。この取出口２５は、景品４が通れるように景品落し口３６へ通じている。
【００２９】
また、景品取得ゲーム装置１のケーシング３内の床面６０には景品台１００が載置されている。景品台１００は、天板１０１及びこれを支持する支持部１０２を有し、前記取得手段から落下した前記景品４を前記天板１０１の上面で転落または滑落させることで景品落し口３６に導く。前記天板１０１には、傾斜方向が互いに異なる複数の傾斜面１０３、１０４を設けている。当該複数の傾斜面１０３、１０４は、前記景品４が転落または滑落する方向を転換可能に配置されている。
【００３０】
以下、景品台１００について詳細に説明する。
【００３１】
図２において、天板１０１は、主天板１０５及び副天板１０６から構成されている。主天板１０５及び副天板１０６は、それぞれケーシング３（図１参照）の後側及び前側に配置される。
【００３２】
主天板１０５及び副天板１０６は、角度調整可能な状態で支持部１０２に取付けられることでそれぞれ傾斜面１０３、１０４（図１及び図９参照）を形成するようになっている。
【００３３】
景品台１００の支持部１０２は、当該天板１０１の主天板１０５の下面に取付けられる主天板取付け枠体１１１と、副天板１０６を回動可能な状態で取付ける副天板取付け部材１１２と、ケーシング３内の床面６０に配置される方形の基座枠体１１３と、これらの主天板取付け枠体１１１と基座枠体１１３の間に取付けられる複数組の開閉支脚１２１、１２２、１２３、１２４（図７参照）と、開閉支脚１２１、１２２、１２３、１２４（図７参照）の開閉角度を大きくし、天板１０１を押し上げる方向に弾性力を常時作用させる引きバネ１３１、１３２、１３３、１３４（図７参照）及びトーションバネ１３５、１３６、１３７、１３８（図５及び図７参照）と、開閉支脚１２２に設けられ、その支脚部材を所望の開閉角度位置で固定するロック装置１４２とから構成されている。尚、開閉支脚１２１、１２２、１２３、１２４（図７参照）の開閉角度を大きくするとは、後述する２本の支脚部材の交差する角度を大きくすることである。
【００３４】
図８において、主天板取付け枠体１１１は、水平枠体２０１と、この水平枠体２０１に対して回動可能な状態で取付けられる回動枠体２０２と、コ字状に形成され回動枠体２０２を所望の角度で支える支持棒２０３より構成されている。
【００３５】
水平枠体２０１は、前後左右の外周フレーム２１１、２１２、２１３、２１４及び左右の内側フレーム２１５、２１６から構成される。
【００３６】
外周フレーム２１１、２１２は、長手方向に沿って折り曲げられ断面形状がＬ字状に形成されている。
【００３７】
左右の内側フレーム２１５、２１６には、支持棒２０３を係止する鋸歯状部２１７、２１８が上方に向けて形成されている。
【００３８】
回動枠体２０２は、前後左右の外周フレーム２２１、２２２、２２３、２２４から構成されている。前側の外周フレーム２２１は、水平枠体２０１の外周フレーム２１１に横方向を軸として回動可能な状態で取付けられている。
【００３９】
後側の外周フレーム２２２には、支持棒２０３の一端及び他端が横方向を軸として回動可能な状態で取付けられている。
【００４０】
回動枠体２０２の上面には、主天板１０５（図３、図４及び図６参照）をネジ止め固定により取付ける。
【００４１】
前記主天板取付け枠体１１１の外周フレーム２１１の正面右端には、副天板取付け部材１１２の基端が嵌合とネジ止めにより取付けられている。副天板取付け部材１１２は主天板取付け枠体１１１に取付けられた状態で長手方向が前後方向に向く。
【００４２】
副天板取付け部材１１２の上辺には、ヒンジ２３１を介して副天板１０６の下面の右辺近傍が取付けられている。
【００４３】
基座枠体１１３は、前後左右の外周フレーム２４１、２４２、２４３、２４４から構成されている。
【００４４】
開閉支脚１２１は、支持部１０２の左前側に配置し、中央部でシャフト２５３により互いに回動自在にＸ字状に枢支された２本の支脚部材２５１、２５２から成るものが、対を成して相対向して設けられている。
【００４５】
支脚部材２５１の一端側は、シャフト２５４を介して基座枠体１１３の前側の外周フレーム２４１に前後方向を軸として回動可能な状態で取付けられている。
【００４６】
支脚部材２５１の他端側は、シャフト２５５（図５参照）を介して前記主天板取付け枠体１１１の外周フレーム２１１に左右方向に摺動可能な状態で取付けられている。
【００４７】
支脚部材２５２の一端側は、シャフト２５６（図５参照）を介して前記主天板取付け枠体１１１の外周フレーム２１１に前後方向を軸として回動可能な状態で取付けられている。
【００４８】
支脚部材２５２の他端側は、シャフト２５７を介して基座枠体１１３の前側の外周フレーム２４１に左右方向に摺動可能な状態で取付けられている。
シャフト２５４、２５７の間には引きバネ１３１が設けられている。
引きバネ１３１は、シャフト２５７を左方向に付勢している。
【００４９】
シャフト２５３には、トーションバネ１３５のコイル部が取付けられている。トーションバネ１３５の一端は支脚部材２５１に係止し、トーションバネ１３５の他端は支脚部材２５２に係止している。トーションバネ１３５は、支脚部材２５１、２５２の開閉角度が大きくなるように付勢している。
【００５０】
図５において、開閉支脚１２２は、支持部１０２の右前側に配置し、中央部でシャフト２６３により互いに回動自在にＸ字状に枢支された２本の支脚部材２６１、２６２から成るものが、対を成して相対向して設けられている。
【００５１】
支脚部材２６１の一端側は、シャフト２６４を介して基座枠体１１３の前側の外周フレーム２４１に前後方向を軸として回動可能な状態で取付けられている。
【００５２】
支脚部材２６１の他端側は、シャフト２６５（図５参照）を介して前記主天板取付け枠体１１１の外周フレーム２１１に左右方向に摺動可能な状態で取付けられている。
【００５３】
支脚部材２６２の一端側は、シャフト２６６（図５参照）を介して前記主天板取付け枠体１１１の外周フレーム２１１に前後方向を軸として回動可能な状態で取付けられている。
【００５４】
支脚部材２６２の他端側は、シャフト２６７を介して基座枠体１１３の前側の外周フレーム２４１に左右方向に摺動可能な状態で取付けられている。
【００５５】
シャフト２６５には、外周フレーム２１１に対する摺動を禁止するための締め付けネジがロック装置１４２として取付けられている。
【００５６】
図７において、シャフト２６４、２６７の間には引きバネ１３２が設けられている。
【００５７】
引きバネ１３２は、シャフト２６７を右方向に付勢している。
【００５８】
図５において、シャフト２６３には、トーションバネ１３６のコイル部が取付けられている。トーションバネ１３５の一端は支脚部材２６１に係止し、トーションバネ１３５の他端は支脚部材２６２に係止している。トーションバネ１３６は、支脚部材２６１、２６２の開閉角度が大きくなるように付勢している。
【００５９】
図７において、開閉支脚１２３は、支持部１０２の左後側に配置し、中央部でシャフト２７３により互いに回動自在にＸ字状に枢支された２本の支脚部材２７１、２７２から成るものが、対を成して相対向して設けられている。
【００６０】
支脚部材２７１の一端側は、シャフト２７４を介して基座枠体１１３の後ろ外周フレーム２４２に前後方向を軸として回動可能な状態で取付けられている。
【００６１】
支脚部材２７１の他端側は、シャフト２７５（図５参照）を介して前記主天板取付け枠体１１１の外周フレーム２１２に左右方向に摺動可能な状態で取付けられている。
【００６２】
支脚部材２７２の一端側は、シャフト２７６（図５参照）を介して前記主天板取付け枠体１１１の外周フレーム２１２に前後方向を軸として回動可能な状態で取付けられている。
【００６３】
支脚部材２７２の他端側は、シャフト２７７を介して基座枠体１１３の後側の外周フレーム２４２に左右方向に摺動可能な状態で取付けられている。
【００６４】
シャフト２７４、２７７の間には引きバネ１３３が設けられている。
【００６５】
引きバネ１３３は、シャフト２７７を左方向に付勢している。
【００６６】
シャフト２７３には、トーションバネ１３７のコイル部が取付けられている。トーションバネ１３７の一端は支脚部材２７１に係止し、トーションバネ１３５の他端は支脚部材２７２に係止している。トーションバネ１３７は、支脚部材２７１、２７２の開閉角度が大きくなるように付勢している。
【００６７】
開閉支脚１２４は、支持部１０２の右後側に配置し、中央部でシャフト２８３により互いに回動自在にＸ字状に枢支された２本の支脚部材２８１、２８２から成るものが、対を成して相対向して設けられている。
【００６８】
支脚部材２８１の一端側は、シャフト２８４を介して基座枠体１１３の後ろ外周フレーム２４２に前後方向を軸として回動可能な状態で取付けられている。
【００６９】
支脚部材２８１の他端側は、シャフト２８５を介して前記主天板取付け枠体１１１の外周フレーム２１２に左右方向に摺動可能な状態で取付けられている。
【００７０】
支脚部材２８２の一端側は、シャフト２８６を介して前記主天板取付け枠体１１１の外周フレーム２１２に前後方向を軸として回動可能な状態で取付けられている。
【００７１】
支脚部材２８２の他端側は、シャフト２８７を介して基座枠体１１３の後側の外周フレーム２４２に左右方向に摺動可能な状態で取付けられている。
シャフト２８４、２８７の間には引きバネ１３４が設けられている。
引きバネ１３４は、シャフト２８７を右方向に付勢している。
【００７２】
シャフト２８３には、トーションバネ１３８のコイル部が取付けられている。トーションバネ１３８の一端は支脚部材２８１に係止し、トーションバネ１３８の他端は支脚部材２８２に係止している。トーションバネ１３７は、支脚部材２８１、２８２の開閉角度が大きくなるように付勢している。
【００７３】
開閉支脚１２１の支脚部材２５１は、二本の棒状部材２９１、２９２により開閉支脚１２３の支脚部材２７１に固定されている。
【００７４】
支脚部材２５１、２７１の場合と同様に、支脚部材２５２、２６１、２６２も、二本の棒状部材よってそれぞれ支脚部材２７２、２８１、２８２に固定されている。
【００７５】
また、本実施形態では、図１及び図９に示すように、主天板１０５による前記傾斜面１０３の前側の辺に、前記景品の転落または滑落を限定的に阻止する阻止手段として景品係止ガイド部材３０１、３０２、３０３を設けている。景品係止ガイド部材３０１、３０２、３０３は、断面形状が三角形の棒状に形成され、横方向に並べて設けられている。
【００７６】
このような構造により、図９に示す前記複数の傾斜面１０３、１０４は、前記傾斜角を調整可能な状態で前記支持部１０２に取付けられている。
【００７７】
前記支持部１０２は、前記天板１０１の高さを調整可能な状態で前記天板１０１を支持している。
【００７８】
以下、景品台１００の支持部１０２による天板１０１の高さ調整について詳細に説明する。
【００７９】
図２において、天板１０１の高さ調整を調整する場合には、まず締め付けネジであるロック装置１４２を緩めて、シャフト２６５を水平枠体２０１の前側の外周フレーム２１１に対して摺動可能な状態にする。開閉支脚１２１、１２２、１２３、１２４は、作業者が天板１０１に対して上向きの力を加えてアシストを行い、引きバネ１３１、１３２、１３３、１３４（図７参照）及びトーションバネ１３５、１３６、１３７、１３８（図５及び図７参照）の付勢により最も開いた状態となり、支持部１０２の高さが最も高く、傾斜面１０３、１０４の角度調整を行わない状態では天板１０１の位置が最も高くなる。
【００８０】
ここで、作業者は、天板１０１の位置が最も高い位置で固定する場合、このままロック装置１４１、１４２を締めて、開閉支脚１２１、１２２、１２３、１２４を最も開いた状態で固定する。
【００８１】
次に、天板１０１の高さ調整を低い位置に調整する場合、ロック装置１４１、１４２を緩めた状態で、作業者は、天板１０１上の景品が軽い場合、手作業で下向きの力を加え、天板１０１上の景品が重い場合、天板１０１上の景品が場合に急に下がらないように手で上方へアシストを行い、開閉支脚１２１、１２２、１２３、１２４を閉じていき、取付け枠体１１１と基座枠体１１３の間を狭め、天板１０１の所望の高さにし、ロック装置１４１、１４２を締めて、開閉支脚１２１、１２２、１２３、１２４を固定し、天板１０１の高さを固定する。
【００８２】
ここで開閉支脚１２１、１２２、１２３、１２４にトーションバネ１３５、１３６、１３７、１３８（図５及び図７参照）を設ける理由は、引きバネ１３１、１３２、１３３、１３４（図７参照）だけでは、天板１０１の高さが最も低い位置（図３参照）及びその近傍で開閉支脚１２１、１２２、１２３、１２４を開く付勢力が不足するためである。
【００８３】
以下、主天板１０５による傾斜面１０３の傾斜の調整方法について説明する。図２において、作業者は主天板１０５の後側に上向きの力を加え、水平枠体２０１（図７及び図８参照）に対して回動枠体２０２（図７及び図８参照）を回動させて、水平枠体２０１（図７及び図８参照）と回動枠体２０２（図７及び図８参照）の間を開き、支持棒２０３（図７及び図８参照）を回動枠体２０２（図７及び図８参照）に対して回動させ、回動枠体２０２の角度調整を行い、図８に示すように、左右の内側フレーム２１５、２１６の鋸歯状部２１７、２１８の適切な位置に支持棒２０３を係止させる。これにより、主天板１０５による傾斜面１０３は水平から前方に傾斜し適切な調整された傾斜角で停止する。
【００８４】
以下、副天板１０６による傾斜面１０４の傾斜の第１の調整方法について説明する。
【００８５】
図９において、副天板１０６はヒンジ２３１を介して副天板取付け部材１１２に取付けられている。このため、支持部１０２を一定にした状態では、前記主天板取付け枠体１１１の外周フレーム２１１の副天板取付け部材１１２より左側に係止部材を嵌合やネジ止めで取り付け、副天板１０６の下面を下側から係止することで副天板１０６を水平から左方向に傾斜させ適切な傾斜角で固定する。
【００８６】
以下、副天板１０６による傾斜面１０４の傾斜の第２の調整方法について説明する。
【００８７】
副天板１０６は、前述した係止部材を取付けていない状態では、左辺が床面６０に当接する。このため、支持部１０２の高さ調整を行うことで、副天板１０６は、副天板取付け部材１１２に対して回動し、副天板１０６が角度調整され、傾斜面１０４の傾斜角が調整される。
【００８８】
次に、景品取得ゲーム装置１の動作を説明する。ここで、景品台１００は、傾斜面１０４の左横に景品落し口３６が来るように床面６０に配置する。
【００８９】
まず、初期状態では、図１に示す景品取得部５は景品落し口３６の直上の位置（ホームポジション）に位置しており、遊戯者がコイン投入口２４にコインを投入すると、ゲーム可能状態となる。そして、遊戯者がレバー２２を左右方向に操作し、駆動源が作動して景品取得部５が左右方向に移動する。そして、遊戯者は、所望の景品に対応する左右方向の位置に景品取得部５が停止するようにレバー２２を離す。遊戯者がレバー２２を離すと、景品取得部５が停止する。次に、遊戯者がレバー２２を前後方向に操作すると、景品取得部５が前後方向に移動する。遊戯者が所望する位置に景品取得部５が停止するようにレバー２２を離すと、景品取得部５は一旦停止する。この後、遊戯者が把持操作手段（例えば釦スイッチ）２３を押すと、景品取得部５は、二本のアーム５３を開いた後、支持部５１を下方に伸ばす。景品取得部５は、把持部５２がケーシング３下部に配置された景品４の位置にくると、アーム５３を閉じる（景品の把持動作）。この後、景品取得部５は、アーム５３を閉じた状態で支持部５１を上方に縮ませ、景品落し口３６の直上の位置（ホームポジション）まで移動する。そして、景品取得部５が、景品落し口３６の上方でアーム５３を開く（景品の解放動作）と、ゲームが終了する。
【００９０】
従って、景品取得部５の把持動作にて景品４を掴むことができた場合には、景品４はアーム５３によって掴まれた状態で景品落し口３６まで運ばれた後、景品の解放動作にて景品落し口３６内に直接落下するか、またはそれ以前の経路でアーム５３から滑って落下する。ここで、図９に示す天板１０１の後方の傾斜面１０３に景品４が落下した場合、景品４が前方に向けて傾斜面１０３を転落または滑落する勢いに応じて、景品係止ガイド部材３０１、３０２、３０３に係止するかまたは前方の傾斜面１０４に落下する、もしくは直接景品落し口３６に落下する。傾斜面１０４に落下した景品４は、傾斜面１０４を左方向に転落または滑落して景品落し口３６に落下する。そして、景品４が景品落し口３６に落下すると、遊戯者は、景品取出口２５から景品４を取り出すことになる。
【００９１】
尚、景品係止ガイド部材３０１、３０２、３０３の長手方向を前後方向に向け、当該景品係止ガイド部材３０１、３０２、３０３を傾斜面１０４に取付ければ、傾斜面１０４を転落または滑落する景品を停止させることが可能となり、遊戯者の景品取得率を調整することができる。
【００９２】
また、前述の説明では、遊戯者がレバー２２を左右方向と前後方向で個別に操作する例で説明しているが、本実施形態の景品取得ゲーム装置１は、遊戯者がレバー２２を前後左右に操作することで、一定時間、景品取得部５を前後左右に自由に動かすことが可能になっている。景品取得ゲーム装置１側が見れば、制御部が、一定時間、レバー２２の操作入力を受け付け、景品取得部５を作動させる制御を行う。
【００９３】
次に、景品係止ガイド部材３０１の構造について詳細に説明する。
【００９４】
図１０乃至図１２に示すように、景品係止ガイド部材３０１は、一端及び他端の端面３１１、３１２と３面の外周面３２１、３２２、３２３により断面が三角形状の棒状に形成され、前記三角形状の３辺の長さが全て異なるように形成されている。景品係止ガイド部材３０１は、外周面３２２、３２３のいずれかが選択され、選択された外周面が前記主天板１０５（図３参照）に密着して固定される。
【００９５】
ここで主天板１０５（図３参照）は、景品取得ゲーム装置１のケーシング３（図３参照）内の下側に配置する下側配置面となっている。  
景品係止ガイド部材３０１の断面の三角形状は、垂直三角形（図１３乃至図１６参照）となっており、外周面３２１、３２２、３２３の短辺方向の幅は、外周面３２１が最も長く、次が外周面３２２であり、外周面３２３が最も短い。外周面３２２と外周面３２３は直行して配置している。
【００９６】
端面３１１の外周面３２２側の辺には、主天板１０５に取付けられたネジのネジ頭を避けるための断面が円周形状の凹部３３１が形成されている。
【００９７】
端面３１１の外周面３２３側の辺には、ネジ頭を避けるための断面が円周形状の凹部３３２が形成されている。
端面３１２の外周面３２２側の辺には、ネジ頭を避けるための断面が円周形状の凹部３３３が形成されている。
【００９８】
端面３１２の外周面３２３側の辺には、ネジ頭を避けるための断面が円周形状の凹部３３４が形成されている。
【００９９】
外周面３２１の端面３１１寄りの位置には、断面が三角形状の凹部３４１が形成されている。凹部３４１の外周面３２２側の奥面３４２には、２つの貫通孔３４３、３４４が形成されている。貫通孔３４３、３４４には、ネジ４００（図１５及び図１６参照）のネジ部４０１（図１５及び図１６参照）が挿入可能になっている。凹部３４１の外周面３２３側の奥面３４５には、貫通孔３４６が形成されている。貫通孔３４６には、ネジ４００（図１３及び図１４参照）のネジ部４０１（図１３及び図１４参照）が挿入可能になっている。
【０１００】
外周面３２１の端面３１２寄りの位置には、断面が三角形状の凹部３５１が形成されている。凹部３５１の外周面３２２側の奥面３５２には、２つの貫通孔３５３、３５４が形成されている。貫通孔３５３、３５４には、ネジ４００（図１５及び図１６参照）のネジ部４０１（図１５及び図１６参照）が挿入可能になっている。凹部３５１の外周面３２３側の奥面３５５には、貫通孔３５６が形成されている。貫通孔３５６には、ネジ４００（図１３及び図１４参照）のネジ部４０１（図１３及び図１４参照）が挿入可能になっている。
【０１０１】
外周面３２２の貫通孔３４３、３５３形成位置より中央側には、ネジ頭を避けるための断面が円周形状の凹部３６１、３６２、３６３が貫通孔３４３側から順に形成されている。
【０１０２】
外周面３２３の貫通孔３４６、３５６形成位置より中央側には、ネジ頭を避けるための断面が円周形状の凹部３６４、３６５、３６６が貫通孔３４６側から順に形成されている。このような構造により、景品係止ガイド部材３０１は、両端面３１１、３１２と３面の外周面３２１、３２２、３２３により断面が三角形状の棒状に形成され、前記三角形状の少なくとも２辺の長さが異なり（本実施形態では３辺の長さが全て異なり）、前記３面の外周面３２１、３２２、３２３の内少なくとも２面のいずれかが選択され、選択された外周面が前記主天板１０５（図３参照）に対向した状態で当該主天板１０５（図３参照）に固定される。
【０１０３】
尚、景品係止ガイド部材３０１の主天板１０５への取付け方は、各種適用可能であり、差込式、スナップフィットなど適用可能であり、さらにネジの本数、ネジの向きも各種適用可能である。
【０１０４】
以下、景品係止ガイド部材３０１を第１の取付け角度で主天板１０５に取付ける場合について説明する。
【０１０５】
ここで、主天板１０５の前側の辺の近傍には、ネジ４００のネジ部４０１が螺入されるネジ孔４０２が複数形成されている。
【０１０６】
図１３に示すように、景品係止ガイド部材３０１を第１の取付け角度で主天板１０５に取付ける場合、作業者は、下面として外周面３２３を選択し、外周面３２２を後方に向けた状態で、外周面３２３を主天板１０５の上面に密着させるとともに、外周面３２３と外周面３２１の間の角部を主天板１０５の前側の端面４０３に揃える。この後、作業者は、ネジ４００のネジ部４０１を景品係止ガイド部材３０１の貫通孔３４６に挿入し主天板１０５のネジ孔４０２に螺入して締め付けることで、景品係止ガイド部材３０１の一端側を主天板１０５の上面にネジ止め固定する。景品係止ガイド部材３０１の他端側も、貫通孔３５６を用いて貫通孔３４６の場合と同様のネジ止めを行う。これにより、景品係止ガイド部材３０１の外周面３２２が主天板１０５の上面に対して直角を成し後方に向いた状態となり、景品係止ガイド部材３０１は、主天板１０５の上面を前方に向けて移動する景品４（図２参照）を高い確率で係止し、景品４の転落や滑落を高い確率で阻止する。
【０１０７】
図１４に示すように、景品係止ガイド部材３０１を第２の取付け角度で主天板１０５に取付ける場合、作業者は、下面として外周面３２３を選択し、外周面３２２を前方に向けた状態で、外周面３２３を主天板１０５の上面に密着させるとともに、外周面３２３と外周面３２２の間の角部を主天板１０５の前側の端面４０３に揃える。この後、作業者は、ネジ４００のネジ部４０１を景品係止ガイド部材３０１の貫通孔３４６に挿入し主天板１０５のネジ孔４０２に螺入することで、景品係止ガイド部材３０１の一端側を主天板１０５の上面にネジ止め固定する。
【０１０８】
尚、図１４のネジ孔４０２は図１３のネジ孔４０２から所定間隔を置いて右側に形成されたものである。
【０１０９】
景品係止ガイド部材３０１の他端も、貫通孔３５６を用いて貫通孔３４６の場合と同様のネジ止めを行う。これにより、景品係止ガイド部材３０１の外周面３２１が主天板１０５の上面に対して大きく傾斜し後方に向いた状態となる。これにより、景品係止ガイド部材３０１は、主天板１０５の上面を前方に向けて移動する景品４（図３参照）を図１３に示した第１の取付け角度の次に高い確率で係止し、景品４の転落や滑落を阻止する。
【０１１０】
図１５に示すように、景品係止ガイド部材３０１を第３の取付け角度で主天板１０５に取付ける場合、作業者は、下面として外周面３２２を選択し、外周面３２３を後方に向けた状態で、外周面３２２を主天板１０５の上面に密着させるとともに、外周面３２２と外周面３２１の間の角部を主天板１０５の前側の端面４０３に揃える。この後、作業者は、ネジ４００のネジ部４０１を景品係止ガイド部材３０１の貫通孔３４３に挿入し主天板１０５のネジ孔４０２に螺入することで、景品係止ガイド部材３０１の一端側を主天板１０５の上面にネジ止め固定する。景品係止ガイド部材３０１の他端側も、貫通孔３５３を用いて貫通孔３４３の場合と同様のネジ止めを行う。これにより、景品係止ガイド部材３０１の幅の狭い外周面３２３が主天板１０５の上面に対して直角を成し後方に向いた状態となり、景品係止ガイド部材３０１は、主天板１０５の上面を前方に向けて移動する景品４を図１４に示した第２の取付け角度の次に高い確率で係止し、景品４の転落や滑落を阻止する。
【０１１１】
図１６に示すように、景品係止ガイド部材３０１を第４の取付け角度で主天板１０５に取付ける場合、作業者は、下面として外周面３２２を選択し、外周面３２３を前方に向けた状態で、外周面３２２を主天板１０５の上面に密着させるとともに、外周面３２２と外周面３２３の間の角部を主天板１０５の前側の端面４０３に揃える。この後、作業者は、ネジ４００のネジ部４０１を景品係止ガイド部材３０１の貫通孔３４４に挿入し主天板１０５のネジ孔４０２に螺入することで、景品係止ガイド部材３０１の一端側を主天板１０５の上面にネジ止め固定する。
【０１１２】
景品係止ガイド部材３０１の他端も、貫通孔３５４を用いて貫通孔３４４の場合と同様のネジ止めを行う。これにより、景品係止ガイド部材３０１の外周面３２１が主天板１０５の上面に対して小さく傾斜し後方に向いた状態となる。ここで、景品係止ガイド部材３０１は、主天板１０５の上面を前方に向けて移動する景品４を図１５に示した第３の取付け角度より低い確率で係止し、景品４の転落や滑落を低い確率で阻止する。
【０１１３】
かかる構成の景品係止ガイド部材３０１は、両端面３１１、３１２と３面の外周面３２１、３２２、３２３により断面が３辺の長さが異なる三角形状の棒状に形成され、外周面３２１、３２２、３２３の向きを変えて下側配置面としての主天板１０５の上面に固定することができるので、景品の移動を阻止する確率の調整範囲を拡大することができ、景品取得の難易度を容易に調整可能になり、ゲームセンター等の遊戯施設の集客力を高めることができる。
【０１１４】
尚、図３に示した景品係止ガイド部材３０２、３０３も、景品係止ガイド部材３０１と同様の構造になっており、第１から第４の取付け角度を選択することができる。
【０１１５】
以下、本発明に係る景品台の好適な第２の実施形態を図面を参照して説明する。尚、図１７は、本発明の第２の実施形態による景品係止ガイド部材５０１及びその周辺部の断面図である。
【０１１６】
図１７において、景品係止ガイド部材５０１は、図１０乃至図１６に示した景品係止ガイド部材３０１と同じ構造の直接固定側棒状部材５０２及び間接固定側棒状部材５０３と、間接固定側棒状部材５０３を直接固定側棒状部材５０２に固定するネジ５１１及びナット５２１から構成されている。直接固定側棒状部材５０２は、図１４に示した景品係止ガイド部材３０１と同様の方法で主天板１０５に取付けるようになっている。
【０１１７】
間接固定側棒状部材５０３は、外周面３２３を上方に向けた状態でその外周面３２２を直接固定側棒状部材５０２の外周面３２２に密着させてネジ５１１及びナット５２１により直接固定側棒状部材５０２にネジ止め固定される。この場合、ネジ５１１は、そのネジ部５１２が間接固定側棒状部材５０３の貫通孔３４３及び直接固定側棒状部材５０２の貫通孔３４４に挿入し、ナット５２１に螺入して締め付けられることで、間接固定側棒状部材５０３と直接固定側棒状部材５０２の一端側をネジ止め固定している。尚、間接固定側棒状部材５０３と直接固定側棒状部材５０２の他端側も一端側と同様のネジ止め固定が行われている。
【０１１８】
直接固定側棒状部材５０２は、図１３、図１５、図１６に示した景品係止ガイド部材３０１と同様の方法で主天板１０５に取付けることが可能であり、さらに、間接固定側棒状部材５０３の外周面３２１、３２２、３２２は、直接固定側棒状部材５０２の主天板１０５に密着しなかった外周面に取付け角度を各種選択してネジ止め固定可能である。
【０１１９】
かかる構成の景品係止ガイド部材５０１によれば、直接固定側棒状部材５０２及び間接固定側棒状部材５０３は、３面の外周面３２１、３２２、３２３により断面が３辺の長さが異なる三角形状の棒状に形成され、外周面３２１、３２２、３２３の向きを変えて下側配置面に固定することができるので、景品の移動を阻止する確率の調整範囲をさらに拡大することができる。
【０１２０】
以下、本発明に係る景品係止ガイド部材の好適な第３の実施形態を図面を参照して説明する。尚、図１８は、本発明の第３の実施形態による景品係止ガイド部材６０１及びその周辺部の斜視図である。
【０１２１】
図１８において、景品係止ガイド部材６０１は、両端面と４面の外周面６２１、６２２、６２３、６２４により断面が四角形状の棒状に形成され、前記４面の外周面の内１面６２１、６２２、６２３、６２４が前記主天板１０５の上面に対向した状態で当該主天板１０５に上面に直接固定される直接固定側棒状部材６０２と、図１０乃至図１６に示した景品係止ガイド部材３０１と同じ構造の間接固定側棒状部材６０３と、間接固定側棒状部材６０３と直接固定側棒状部材６０２を主天板１０５に上面にネジ止め固定する複数のネジ６１１から構成されている。
【０１２２】
間接固定側棒状部材６０３は、外周面３２２を前方に向け外周面３２１を上方に向けた状態でその外周面３２３を直接固定側棒状部材６０２の上側の外周面６２１に密着させ、直接固定側棒状部材６０２を介して主天板１０５にネジ止め固定される。この場合、複数のネジ６１１、６１１は、それぞれネジ部６１２が間接固定側棒状部材６０３の貫通孔３４６、３５６に挿入し、直接固定側棒状部材６０２の貫通孔６４６、６５６に挿入し、主天板１０５のネジ孔４０２、４０２に螺入して締め付けられることで、固定側棒状部材６０３と直接固定側棒状部材６０２を主天板１０５にネジ止め固定している。
【０１２３】
また、間接固定側棒状部材６０３は、図１３、図１５、図１６に示した景品係止ガイド部材３０１を主天板１０５に取付ける場合と同様の取り付けで直接固定側棒状部材６０２の上面６２１に取付けることが可能である。
【０１２４】
かかる構成の景品係止ガイド部材６０１によれば、間接固定側棒状部材６０３は、３面の外周面３２１、３２２、３２３により断面が３辺の長さが異なる三角形状の棒状に形成され、外周面３２１、３２２、３２３の向きを変えて断面が四角形状の直接固定側棒状部材６０２を介して主天板１０５の上面に固定することができるので、景品の移動を阻止する確率の調整範囲をさらに拡大することができる。
【０１２５】
以下、本発明に係る景品係止ガイド部材の好適な第４の実施形態を図面を参照して説明する。尚、図１９は、本発明の第４の実施形態による景品係止ガイド部材７０１及びその周辺部の断面図である。
【０１２６】
図１９において、景品係止ガイド部材７０１は、両端面と４面の外周面７２１、７２２、７２３、７２４により断面が四角形状の棒状に形成され、前記４面の外周面７２１、７２２、７２３、７２４の内１面（本実施形態では外周面７２２）が前記主天板１０５の上面に対向した状態で当該主天板１０５に上面に直接固定される直接固定側棒状部材７０２と、図１０乃至図１６に示した景品係止ガイド部材３０１と同じ構造の第１及び第２の間接固定側棒状部材７０３、７０４と、間接固定側棒状部材７０３と第１の直接固定側棒状部材７０２を主天板１０５に上面にネジ止め固定する複数のネジ７１１と、直接固定側棒状部材７０３を間接固定側棒状部材７０４に固定する複数のネジ７１３とから構成されている。
【０１２７】
第１の間接固定側棒状部材７０３の一端側は、外周面３２２を前方に向け外周面３２１を上方に向けた状態でその外周面３２３を直接固定側棒状部材７０２の上側の外周面７２１に密着させ、直接固定側棒状部材７０２を介して主天板１０５にネジ止め固定される。この場合、ネジ７１１は、ネジ部７１２が間接固定側棒状部材７０３の貫通孔３４６に挿入し、直接固定側棒状部材７０２の貫通孔７４６に挿入し、主天板１０５のネジ孔４０２に螺入して締め付けられることで、固定側棒状部材７０３と直接固定側棒状部材７０２を主天板１０５にネジ止め固定している。尚、第１の間接固定側棒状部材７０３と直接固定側棒状部材７０２の他端側も一端側と同様のネジ止め固定が行われている。
【０１２８】
また、間接固定側棒状部材７０３は、図１３、図１５、図１６に示した景品係止ガイド部材３０１を主天板１０５に取付ける場合と同じ角度で直接固定側棒状部材７０２の上面となる外周面７２１に取付けることが可能である。
【０１２９】
第２の間接固定側棒状部材７０４の一端側は、外周面３２２を前方に向け外周面３２１を上方に向けた状態でその外周面３２２を直接固定側棒状部材７０２の後ろ上側の外周面７２４に密着させ、直接固定側棒状部材７０２にネジ止め固定される。この場合、ネジ７１３は、ネジ部７１４が第２の間接固定側棒状部材７０４の貫通孔３４４に挿入し、直接固定側棒状部材７０２のネジ孔７４４に螺入して締め付けられることで、第２の間接固定側棒状部材７０４を直接固定側棒状部材７０２にネジ止め固定している。尚、第２の間接固定側棒状部材７０４と直接固定側棒状部材７０２の他端側も一端側と同様のネジ止め固定が行われている。
【０１３０】
かかる構成の景品係止ガイド部材７０１によれば、第１及び第２の間接固定側棒状部材７０３、７０４は、３面の外周面３２１、３２２、３２３により断面が３辺の長さが異なる三角形状の棒状に形成され、外周面３２１、３２２、３２３の向きを変えて断面が四角形状の直接固定側棒状部材７０２を介して主天板１０５の上面に固定することができるので、景品の移動を阻止する確率の調整範囲をさらに拡大することができる。
【０１３１】
尚、図１乃至図１９に示した実施形態では、景品係止ガイド部材が取付けられる前記ケーシング３内の下側配置面として天板１０１の一部である主天板１０５の上面を用いたが、下側配置面としては前記ケーシング３内の床面６０も適用可能である。
【０１３２】
また、景品係止ガイド部材は副天板１０６にも取り付け可能である。さらに景品係止ガイド部材は、転落または滑落に対して斜めや水平等、垂直方向以外の方向に取付け可能である。
【０１３３】
また、図１乃至図１９に示した実施形態で景品係止ガイド部材では、多面形状の外周面を３面としたが、前記多面形状の各辺の長さがそれぞれ異なるように形成するのなら外周面は４面以上にしてもよい。
【０１３４】
また、本景品取得ゲーム装置の景品の取得方法として、把持部で２本のアームを開閉して景品を把持しているが、景品の取得手段としては３本のアームで把持してもよいし、さらに景品に環をつけておき、鉤爪で吊り上げてもよいし、あるいは景品に鉄片を付けておき、磁石で吸引してもよいし、あるいは吸引するホースで景品を吸い上げる方式でもよい。
【産業上の利用可能性】
【０１３５】
本発明は、把持部に２本のアームを備えた景品取得ゲーム装置に収納する景品係止ガイド部材に限らず、把持部に３本等、他の本数のアームを備えた景品取得ゲーム装置に収納する景品係止ガイド部材に適用でき、さらに、景品取得ゲーム装置としては、景品に環をつけておき、鉤爪で吊り上げてもよいし、あるいは景品に鉄片を付けておき、磁石で吸引してもよいし、あるいは吸引するホースで景品を吸い上げる方式でもよい。
【図面の簡単な説明】
【０１３６】
【図１】図１は、本発明の第１の実施形態による景品台を収納した景品取得ゲーム装置１の正面図である。
【図２】図２は、本発明の第１の実施形態による景品台の支持部を伸ばした状態の斜視図である。
【図３】図３は、本発明の第１の実施形態による景品台の支持部を最も縮めた状態の斜視図である。
【図４】図４は、本発明の第１の実施形態による景品台の平面図である。
【図５】図５は、本発明の第１の実施形態による景品台の正面図である。
【図６】図６は、本発明の第１の実施形態による景品台の側面図である。
【図７】図７は、本発明の第１の実施形態による主天板を取り外した景品台の斜視図である。
【図８】図８は、本発明の第１の実施形態による主天板を取り外し回動枠体を傾斜させた景品台の斜視図である。
【図９】図９は、本発明の第１の実施形態による景品台及びその周辺部を示す斜視図である。
【図１０】図１０は、本発明の第１の実施形態による景品係止ガイド部材を第１の外周面側から見た斜視図である。
【図１１】図１１は、本発明の第１の実施形態による景品係止ガイド部材を第２の外周面側から見た斜視図である。
【図１２】図１２は、本発明の第１の実施形態による景品係止ガイド部材を第３の外周面側から見た斜視図である。
【図１３】図１３は、本発明の第１の実施形態による景品係止ガイド部材を第１の取付け角度で主天板に取付けた状態を示す断面図である。
【図１４】図１４は、本発明の第１の実施形態による景品係止ガイド部材を第２の取付け角度で主天板に取付けた状態を示す断面図である。
【図１５】図１５は、本発明の第１の実施形態による景品係止ガイド部材を第３の取付け角度で主天板に取付けた状態を示す断面図である。
【図１６】図１６は、本発明の第１の実施形態による景品係止ガイド部材を第４の取付け角度で主天板に取付けた状態を示す断面図である。
【図１７】図１７は、本発明の第２の実施形態による景品係止ガイド部材及びその周辺部の断面図である。
【図１８】図１８は、本発明の第３の実施形態による景品係止ガイド部材及びその周辺部の斜視図である。
【図１９】図１９は、本発明の第４の実施形態による景品係止ガイド部材及びその周辺部の断面図である。
【符号の説明】
【０１３７】
１…景品取得ゲーム装置、２…基台、３…収容部、４…景品、
５…景品取得部、１０…移動部、２０…モータ、２１…操作卓、
２２…レバー、２３…釦スイッチ、２４…コイン投入口、
２５…取出口、３１…前面、３２、３３…側面、３４…背面、
３５…開閉扉、３５ａ…施錠手段、３６…景品投入部、
３７…左右移動用固定レール、３８…前後移動用可動レール、
３９…景品取得部用基台、５１…支持部、５２…把持部、
５３…アーム、６０…床面、１００…景品台、１０１…天板、
１０２…支持部、１０３、１０４…傾斜面、１０５…主天板、
１０６…副天板、１１１…主天板取付け枠体、
１１２…副天板取付け部材、１１３…基座枠体、
１２１、１２２、１２３、１２４…開閉支脚、
１３１、１３２、１３３、１３４…引きバネ、
１３５、１３６、１３７、１３８…トーションバネ、
１４１、１４２…ロック装置、２０１…水平枠体、
２０２…回動枠体、２０３…支持棒、
２１１、２１２、２１３、２１４…外周フレーム、
２１５、２１６…内側フレーム、２２１、２２２…鋸歯状部、
２３１…ヒンジ、２４１、２４２、２４３、２４４…外周フレーム、
２５１、２５２…支脚部材、
２５３、２５４、２５５、２５６、２５７…シャフト、
２６１、２６２…支脚部材、
２６３、２６４、２６５、２６６、２６７…シャフト、
２７１、２７２…支脚部材、
２７３、２７４、２７５、２７６、２７７…シャフト、
２８１、２８２…支脚部材、
２８３、２８４、２８５、２８６、２８７…シャフト、
２９１、２９２…棒状部材、
３０１、３０２、３０３…景品係止ガイド部材、
３１１、３１２…端面、３２１、３２２、３２３…外周面、
３３１、３２２、３３３、３３４、３４１…凹部、
３４２…奥面、３４３、３４４…貫通孔、３４５…奥面、
３４６…貫通孔、３５１…凹部、３５２…奥面、
３５３、３５４…貫通孔、３５５…奥面、３５６…貫通孔、
３６１、３６２、３６３、３６４、３６５、３６６…凹部、
４００…ネジ、４０１…ネジ部、４０２…ネジ孔、
４０３…端面、５０１…景品係止ガイド部材、
５０２…直接固定側棒状部材、５０３…間接固定側棒状部材、
５１１…ネジ、５１２…ネジ部、５２１…ナット、
６０１…景品係止ガイド部材、６０２…直接固定側棒状部材、
６０３…間接固定側棒状部材、６１１…ネジ、６１２…ネジ部、
６２１、６２２、６２３、６２４…外周面、
６４６、６５６…貫通孔、７０１…景品係止ガイド部材、
７０２…直接固定側棒状部材、７０３、７０４…間接固定側棒状部材、
７１１、７１３…ネジ、７１２、７１４…ネジ部、
７２１、７２２、７２３、７２４…外周面、７４４…ネジ孔、
７４６…貫通孔
【図１】
2008067803.tif 000003
【図２】
2008067803.tif 000004
【図３】
2008067803.tif 000005
【図４】
2008067803.tif 000006
【図５】
2008067803.tif 000007
【図６】
2008067803.tif 000008
【図７】
2008067803.tif 000009
【図８】
2008067803.tif 000010
【図９】
2008067803.tif 000011
【図１０】
2008067803.tif 000012
【図１１】
2008067803.tif 000013
【図１２】
2008067803.tif 000014
【図１３】
2008067803.tif 000015
【図１４】
2008067803.tif 000016
【図１５】
2008067803.tif 000017
【図１６】
2008067803.tif 000018
【図１７】
2008067803.tif 000019
【図１８】
2008067803.tif 000020
【図１９】
2008067803.tif 000021